(57)【要約】【課題】厚板状の氷塊を一方向に搬送して所定の薄板状の複数片に、簡単に、多量にかつ迅速に切断する。【解決手段】氷塊１０、１０´を搬送するエンドレス搬送体２と、エンドレス搬送体２の搬送方向に切断方向が設定され、かつ間隔をあけて並列にして配置され、刃部が氷塊の高さ方向の全体に亘る複数の丸鋸５、６を有する氷切断機３、４とを備え、中央部に配設される二つの丸鋸６Ａ、６Ｂが氷塊の中央部にある白濁部２１を挟むように、氷塊の位置決めを行う位置出し装置７がエンドレス搬送体２の入り口部に配設されるプレート氷製作装置が構成される。【選択図】  図１
2005024165.tif 000002
【特許請求の範囲】
【請求項１】
氷塊を搬送するエンドレス搬送体と、該エンドレス搬送体の搬送方向に切断方向が設定され、かつ間隔をあけて並列にして配置され、刃部が氷塊の高さ方向の全体に亘る複数の丸鋸を有する氷切断機とを備え、
前記エンドレス搬送体はエンドレスに回動される回動体と、該回動体に固着された氷塊に対する押し体と、回動体の上側に固定して設けられて氷塊を載置し、氷塊を辷らせるベースとを備えることを特徴とするプレート氷製作装置。
【請求項２】
氷塊を搬送するエンドレス搬送体と、該エンドレス搬送体の搬送方向に切断方向が設定され、かつ間隔をあけて並列にして配置され、刃部が氷塊の高さ方向の全体に亘る複数の丸鋸を有する上側氷切断機とを備え、
前記上側氷切断機の丸鋸の切断方向と同一であって当該丸鋸と同列にして搬送方向に間隔が置かれ、かつ、同一垂直面内でラップするようにして配置された複数の丸鋸を有する下側氷切断機を備え、
前記エンドレス搬送体はエンドレスに回動されるチェーンと、チェーンに固着された氷塊に対する押し体と、チェーンの上側に固定して設けられて氷塊を載置し、氷塊を辷らせるベースとを備え、該ベースには前記押し体が通過する逃し部が形成されることを特徴とするプレート氷製作装置。
【請求項３】
氷塊を搬送するエンドレス搬送体と、該エンドレス搬送体の搬送方向に切断方向が設定され、かつ間隔をあけて並列にして配置され、刃部が氷塊の高さ方向の全体に亘る複数の丸鋸を有する氷切断機とを備え、
中央部に配設される二つの丸鋸が氷塊の中央部にある白濁部を挟むように、氷塊の位置決めを行う位置出し装置が前記エンドレス搬送体の入り口部に配設されることを特徴とするプレート氷製作装置。
【請求項４】
氷塊を搬送するエンドレス搬送体と、該エンドレス搬送体の搬送方向に切断方向が設定され、かつ間隔をあけて並列にして配置され、刃部が氷塊の高さ方向の全体に亘る複数の丸鋸を有する上側氷切断機とを備え、
前記上側氷切断機の丸鋸の切断方向と同一であって当該丸鋸と同列にして搬送方向に間隔が置かれ、かつ、同一垂直面内でラップするようにして配置された複数の丸鋸を有する下側氷切断機を備え、
中央部に配設される二つの丸鋸が氷塊の中央部にある白濁部を挟むように、氷塊の位置決めを行う位置出し装置が前記エンドレス搬送体の入り口部に配設されることを特徴とするプレート氷製作装置。
【請求項５】
氷塊を搬送するエンドレス搬送体と、該エンドレス搬送体の搬送方向に切断方向が設定され、かつ間隔をあけて並列にして配置され、刃部が氷塊の高さ方向の全体に亘る丸鋸を有する氷切断機とを備え、
前記エンドレス搬送体を構成するエンドレスに回動する回動体の上側に設けたベース上に氷塊を載置し、回動体に固定して設けた押し体によってベース上に載置された氷塊の丸鋸に向けて押し出して切断することを特徴とするプレート氷製作方法。
【請求項６】
氷塊を搬送するエンドレス搬送体と、該エンドレス搬送体の搬送方向に切断方向が設定され、かつ間隔をあけて並列にして配置され、刃部が氷塊の高さ方向の全体に亘る丸鋸を有する氷切断機とを備え、
中央部に配設される二つの丸鋸は、氷塊の中央部にある白濁部を挟むようにして切断することを特徴とするプレート氷製作方法。
【請求項７】
氷塊を搬送するエンドレス搬送体と、該エンドレス搬送体の搬送方向に切断方向が設定され、かつ間隔をあけて並列にして配置され、刃部が氷塊の高さ方向の全体に亘る丸鋸を有する上側氷切断機と、および切断されたプレート状とされた氷を保持する氷保持装置とを備え、
前記氷切断機の丸鋸の切断方向と同一であって当該丸鋸と同列にして搬送方向に間隔が置かれ、かつ前記丸鋸の下端側と上端側が搬送方向に置いて、同一垂直面内でラップするようにして配置された複数の丸鋸を有する下側氷切断機を備え、
中央部に配設される二つの丸鋸は、氷塊の中央部にある白濁部を挟むようにして切断することを特徴とするプレート氷製作方法。
【発明の詳細な説明】
【０００１】
【発明の属する技術分野】
本発明は、氷塊（氷塊を切断していくつかに分離した場合のブロック氷を含む。）を切断してプレート状とされた氷、いわゆるプレート氷を製作する装置および製作方法に関する。
【０００２】
【従来の技術】
氷はその物理的性質から温度により軟らかくなったり、融けたり、あるいは割れたりする。従って氷塊を切断してプレート氷を製作する場合において、適切な温度下においても、速やかに加工する必要がある。従来、例えば横５４０ｍｍ、縦３５０ｍｍ程度の大型の製氷角氷である氷塊をプレート状に切断する時は、人手により、氷塊を丸形ノコギリの刃を押し当てて切り、一条切断すると再び元に戻って次の条について切断して行く方法が採用されている。
ドライアイスのような比較的小型の氷片を切断するためには、切断機が使用されている。
【０００３】
特許文献１には、モータにて駆動される駆動軸に所定間隔で複数枚の円盤状鋸刃を固定してなる切断機構と、氷塊を載置した状態で前記切断機構の下部位置に挿入することにより、氷塊に切れ目を形成するようにした移動台車と、該移動台車に着脱可能に配設して氷塊に形成する切れ目の深さを調整する調整台とからなり、移動台車の氷塊の載置台及び調整台に、下方に貫通する溝又は透孔を形成した氷塊の切断機が記載されている。
【０００４】
特許文献２には、エンドレス搬送体を有するコンベヤ装置と、該コンベヤ装置の搬送支持面上でこれを横断する方向に伸長された回転軸と、該回転軸に並列に取付けられた複数の丸鋸と、前記コンベヤ装置の搬送支持面の両外側に配設されかつそれぞれ内側へ往復移動が可能に構成されたサイドガード部とを含み、前記コンベヤ装置内の前記エンドレス搬送体は、端面が台形状に形成された上面がドライアイス支持面としての平坦面とされた多数の短冊状支持板をその底面側の側縁が密接する状態で配列し、かつ、間隔をあけて並列配置された少なくとも２つのエンドレス条帯上に跨架して構成され、そして、各隣接する前記短冊状支持板の間には、Ｖ字形の間隙部が形成されているドライアイス切断装置が記載されている。
【０００５】
特許文献３には、間隔をあけて並列に配置された２つのエンドレス搬送体を備えるコンベヤ装置と、前記両エンドレス搬送体間の間隔部に配置され、一部を前記エンドレス搬送体の搬送支持面より上方に突出した第１の丸鋸と、該第１の丸鋸と同一垂直面内でかつ前記エンドレス搬送体の搬送支持面上方に配置された第２の丸鋸と、前記コンベヤ装置の前記各エンドレス搬送体双方の外側部に配設され、それぞれ内側へ往復移動が可能なサイドガード部とを含み、前記コンベヤ装置の前記各エンドレス搬送体は、搬送方向に沿って並列配置された多数の短冊状支持板を備え、前記第１の丸鋸と前記第２の丸鋸は、それらの回転中心位置が前記コンベヤ装置の搬送方向にずれ、かつ、前記第１の丸鋸の最上部の前記エンドレス搬送体の搬送支持面からの高さをｈ１とし、前記第２の丸鋸の最下部の前記搬送支持面からの高さｈ２とするとき、ｈ１≧ｈ２とされ、しかも、搬入されたドライアイスに対し、それぞれ上方から下方へ向けて切り込むように構成されているドライアイス切断装置が記載されている。
【０００６】
【特許文献１】
特開２０００−１２１２２０号公報
【特許文献２】
特開平７−７５８３３号公報
【特許文献３】
特開平７−１６９０９号公報
【０００７】
【発明が解決しようとする課題】
氷塊を丸形ノコギリで切断する方法にあっては、氷塊を切断し、いくつもの薄いプレート板状氷にする場合に一条の切断を行うとまた元の位置に戻って次の条の切断を行うものであるからプレート板状氷製作に要する所要時間は多大なものとなることは必然であり、氷の物理的性質を損なうおそれがある。
【０００８】
特許文献１あるいは特許文献２に記載の切断装置は、特にプレートアイスとして市販されている厚板状の氷塊あるいはドライアイスを切断するものであって、氷塊の移動に移動台車が使用されている。更には原料氷のような大型、厚板状の氷塊に存在し、あるいは製氷上氷塊の中央部に形成されることになる白濁部は存在していない。
【０００９】
ところで、プレート板状氷からボール（球状）の氷（ボールアイス）を製作しようとする場合に、原料である氷塊の体積に比べて最終的に製作されるボールアイスの量（体積）をいかに確保するかが製造原価を安くする上で重要である。上述した白濁部は商品としてのボールアイスとしては不適であり、販売に供することは出来ない。
【００１０】
従って、本発明は、特に厚板状の氷塊を一方向に搬送して所定の薄板状の複数片に、簡単に、多量にかつ迅速に操作を行うことのできるプレート氷製作装置および製作方法を提供することを目的とする。更に、白濁部に原因する廃棄の量を少なくしたプレート氷製作装置および製作方法を提供することを目的とする。
【００１１】
【課題を解決するための手段】
本発明は、氷塊（ブロック氷）をエンドレス搬送体と、該エンドレス搬送体の搬送方向に切断方向が設定され、かつ間隔をあけて並列にして配置され、刃部が氷塊の高さ方向の全体に亘る丸鋸を有する氷切断機を備える。および切断されたプレート状とされた氷を保持する氷保持装置を備える。
【００１２】
更には、氷塊を搬送するエンドレス搬送体と、該エンドレス搬送体の搬送方向に切断方向が設定され、かつ間隔をあけて並列にして配置され、刃部が氷塊の高さ方向の全体に亘る丸鋸を有する上側氷切断機と、および切断されたプレート状とされた氷を保持する氷保持装置とを備える。更に、前記氷切断機の丸鋸の切断方向と同一であって当該丸鋸と同列にして搬送方向に間隔が置かれ、かつ前記丸鋸の下端側と上端側が搬送方向に置いて、同一垂直面内でラップするようにして配置された複数の丸鋸を有する下側氷切断機を備える。更に、エンドレス搬送体のチェーン（回動体）の上側に固定して搬送されてくる氷塊を載置し、氷塊を切断機に向けて辷らせるベースを備える。中央部に配設される二つの丸鋸が氷塊の中央部にある白濁部を挟むように、氷塊の位置決めを行う位置出し装置が前記エンドレス搬送体の入り口部に配設される。
【００１３】
これらによって、氷塊は一方向搬送によって複数の薄板状のプレート氷に切断される。更に、中央部に配設される二つの丸鋸は、氷塊の中央部にある白濁部を挟むようにして切断する。
本発明において、氷塊には製氷されたばかりの角氷ばかりでなくこの製氷角氷をいくつかのブロックにしたブロック氷を含む概念で使用する。
【００１４】
【発明の実施の形態】
以下、本発明の実施例を図面に基づいて説明する。
図１は、本発明の実施例であるプレート氷製作装置の構成を示す図である。図２は図１のＡ視図であり、図３は図１のＢ視図である。
これらの図において、プレート氷製作装置１００は、氷塊１０を搬送するエンドレス搬送体２と、上側氷切断機３と、下側氷切断機４と、および位置出し装置７とを備える。
【００１５】
エンドレス搬送体２は、チェーン駆動部１１と、チェーン従動部１２と、に掛けられてこれらの間をエンドレスに回動し、回動体となるチェーン１３と、操作チェーン１３の上側に固定して配置されたベース１４と、および操作チェーン１３に固着された押し体１５を備える。
【００１６】
図２および図３に示すように、ベース１４には、この例にあっては７個の通過孔部１６が形成されており、７本の操作チェーン１３に固定され他押し体１５がこの通過孔部１６を通過する。操作チェーン１３、チェーン駆動部１１、チェーン従動部１２は一点鎖線で示す。
【００１７】
図４および図５にブロック状の氷塊（ブロック氷）の形状を示す。ブロック氷１０の大きさには制限はないが、例えば２９０幅×５４０Ｌ×３５０厚（２８６上面幅×５３６上面Ｌ×３５０厚、ただしｍｍ）の厚板状の氷塊が切断の対象とされる。２９０幅の中央部には、アイスカン製氷の欠点として生ずる白濁部２１が形成される。
【００１８】
図１において、エンドレス搬送体２の入り口部においてベース１４に沿って位置出し装置７が設けてあり、これは押圧機構２２によって入り口部に配送されて来たブロック氷１０´の位置決めを行う。
ベース８の上方には上側氷切断機３、ベース８を横切る形で下側氷切断機４が設けられ、両者は間隔があけられる。
【００１９】
上側氷切断機３および下側氷切断機４はそれぞれ丸鋸５、６を有し、丸鋸５、６はそれぞれ全周に刃部２３、２４を有する。各丸鋸は等しく間隔をあけて並列にして配置された複数の丸鋸として構成される。丸鋸５、６は、本例の場合６枚からなっており、同列にして搬送方向に間隔が置かれ、かつ同一垂直面内でラップするようにして配置される。
【００２０】
下側の丸鋸６は、回転方向を矢印のように上から下に切り進む。また、上側の丸鋸５は、回転方向を矢印のように下から上に切り進む。このように、両者を逆方向にすることが氷の切断上望ましい。
図３に示すように、丸鋸６は分離された７つの押し体１５の間に位置し、ベース１４には丸鋸６が通過する逃し溝部（図示せず）が通過孔部１６に平行に設けてあり、丸鋸６はこれらの逃し溝部を通過することができる。
【００２１】
図４から図６はベース１４の詳細を示し、図４（ａ）はベース１４を上から見た図であり、図４（ｂ）は側面図である。図５は図４（ｂ）のＣ−Ｃ断面図、図６は図４（ｂ）のＤ−Ｄ断面図である。
これらの図において、ベース１４はブロック氷１０に接する超高分子ポリエステル樹脂で構成される左右２つの表層部１４Ｒ、１４Ｌと表層部１４Ｒ、１４Ｌの下側に一体的に設けられるＳＵＳ材で構成さえる基体部１４Ａの２層構造となっている。これらの部材には逃げ孔１７（１７Ａ、１７Ｂ）が形成され、上側の逃げ孔１７Ｂは下側の逃げ孔Ａより小さな長さとしてある。
【００２２】
このように、ブロック氷１０を載置するベース１４には台板形状をなし、細長の逃げ孔１６、１７を容易に形成することができ、これに伴ってブロック氷を押して、丸鋸３、４まで搬送することができ、３５ｍｍという薄いプレート板状に切断することを可能とする。移動体そのものにブロック氷を載置する方式であってはこのように薄いプレート板状に切断することは困難であろう。
【００２３】
ベース１４は、移動台車ではなく、操作チェーン１３の上側において固定して設ける構造としてある。このような構造によれば、ブロック氷を次々に切断するに当って移動台車の戻り工程を要せず、速やかにブロック氷を切断することができる。大型で板厚のブロック氷１０´は、固定され静止しているベース１４上に搬送され、一時この上に安定的に留め置かれる。このようなベース１４を設けることによって位置出し装置７との協働操作によってブロック氷１０´を中心軸を所定に設定することが楽になる。特に、後述するような大きさのブロック氷１０´の操作にはベース１４は有効に作用する。この場合に、ベース１４は固定されているが、ブロック１０の辷りを受ける機能を果たしており、エンドレス搬送体２の一部の構成となる。エンドレス搬送体２を構成するエンドレスに回動するチェーン（操作チェーン）１３の上側に設けたベース１４上にブロックの氷（氷塊）１０、１０´を載置し、一時静止して保持し、チェーン１３に固定して設けた押し体７によってベース１４上のブロック氷の丸鋸５、６による切断のために押し出すことを行う。そして、上述のように、ベース１４は辷り、温度などの関係から超高分子ポリエステル樹脂を使用することができる。ＳＵＳ材を併用してＳＵＳ材との２層とするのがよい。
【００２４】
ベース１４上に置かれて位置決めされたブロック氷１０´は押し体１５によって押されてベース１４上を辷り、下側氷切断機４に至ったブロック氷１０は丸鋸６によってまず下方側が切断され、さらに搬送されると丸鋸５によって上方側が切断される。この場合には、前述した丸鋸５と丸鋸６の配列構成により切断部である各条は一致し、ブロック氷１０は完全に搬送方向に切断される。
【００２５】
位置出し装置７は、図２に示すようにブロック氷１０の上部両側に接するようにして押圧機構２２（２２Ａ、２２Ｂ）が設けてあり、駆動装置（図示せず）によって力Ｆが与えられ、ブロック氷１０の位置決めがなさえる。通常は、ブロック氷１０はベース１４の中央を中央として位置決めされる。図４および図５に示すように、ブロック氷１０は中央部に白濁部２１が生成されるが、位置決めによってベース１４の中央に配設されることによって中央部に位置して隣接する二つの丸鋸６Ａ、６Ｂ（図３）によって白濁部２１は挟み込むようにして切断される。この場合に、エンドレス搬送体２の作用により押し体７は下方を通って戻ってくるが、この場合には切断のために時間を浪費するものではない。従って、ブロック氷１０は一括して切断され、次のステップに当っては移動台車による戻り時間を計算することなく、直ちに次の切断に移行することができる。中央部は１つのブロック氷として切断され、搬送後廃棄される。一つのブロック氷を破棄すれば済み、他のブロック氷は商品とされるボールアイスの生成のために有効に使われることになる。
切断によって製作された７つのプレート氷３０は、各プレート氷間に配設される短冊状の保持装置であるプレートガイド２５によって保持され、姿勢が維持される。
【００２６】
２９０幅の中央部には、前述のように、アイスカン製氷の際に白濁部２１が生成されるが、この部分も同時に切り落としながら、連続して搬送される６枚のプレート氷について約３０秒で切断し、１枚３５ｍｍ厚のプレート氷３０を無人工程で５秒程度のスピードで製作していく。
本実施例のように、上下に２つの切断装置３、４すなわち丸鋸５および丸鋸６を配設することによって丸鋸６自体の周速を大きくしないで済むという利点がある。
【００２７】
図９は、ブロック氷１０、１０´、プレート氷３０とプレートガイド２５の位置関係を示す。図１０は、プレートガイド２５の構成を示す。
図９において、
丸鋸５の最下端歯面からベース１４までの高さ：ｈ１
丸鋸６の最上面歯面からベース１４までの高さ：ｈ２
として、ｈ２≧ｈ１の関係とされる。
【００２８】
前述のように、丸鋸５と丸鋸６とは垂直同一面内に配置し、搬送方向に対して下側の丸鋸６は進入側に、上側の丸鋸５は搬出側配置とされ、交互しないようにしながら一部ラップさせて搬送方向にずらして配置している。従って、ブロック氷１０は当初下側部１０Ａが切断され、引き続いて上側部１０Ｂが切断されるに至る。この場合に、上半分の途中までは切断されているが、まだ切断されていない部分（斜線部分）があるためにプレート氷１０は倒れることがない。
【００２９】
プレートガイド２５は丸鋸５の搬送側で、丸鋸５とわずかに離れて配設され、図１０に示すように短冊状の保持部３１とそれの指示部３２から構成される。この構成によって完全切断されたプレート氷３０は、保持部３１によって１枚１枚姿勢を維持するようにして保持される。これによってプレート氷３０の転倒防止が図られる。
【００３０】
以上のように、本実施例によれば氷塊１０、１０´を搬送するエンドレス搬送体２と、エンドレス搬送体２の搬送方向に切断方向が設定され、かつ間隔をあけて並列にして配置され、刃部が氷塊の高さ方向の全体に亘る複数の丸鋸５、６を有する氷切断機３、４とを備え、エンドレス搬送体２はエンドレスに回動される回動体であるチェーン１３と、回動体に固着された氷塊に対する押し体と、回動体の上側に固定して設けられて氷塊１０、１０´を載置し、氷塊１０、１０´を辷らせるベースとを備えることを特徴とするプレート氷製作装置が構成される。
【００３１】
本実施例によれば更に、氷塊１０、１０´を搬送するエンドレス搬送体２と、エンドレス搬送体２の搬送方向に切断方向が設定され、かつ間隔をあけて並列にして配置され、刃部が氷塊の高さ方向の全体に亘る複数の丸鋸５を有する上側氷切断機３とを備え、上側氷切断機３の丸鋸の切断方向と同一であって丸鋸５と同列にして搬送方向に間隔が置かれ、かつ同一垂直面内でラップするようにして配置された複数の丸鋸６を有する下側氷切断機４を備え、中央部に配設される二つの丸鋸６Ａ、６Ｂが氷塊の中央部にある白濁部２１を挟むように、氷塊の位置決めを行う位置出し装置７がエンドレス搬送体２の入り口部に配設されるプレート氷製作装置が構成される。
この構成によって、切断機３、４にブロック氷１０を投入してから切断し、排出まで５秒程度で切断を完了し、プレート板状のプレート氷３０を製作することができる。この場合の搬送速度は、１００ｍｍ／秒程度となる。
【００３２】
２９０幅方向にある外側の傾斜部は両側の丸鋸６Ｃ、６Ｄによって切り取られ、そのまま落下し、下部の排水コンベヤ部に捨てられる。同様に中央部の白濁部のある一枚のプレート氷も商品には不適であるために同様に落下させ、廃棄する。
このように、３５Ｔ×３５０Ｈ×５４０Ｌのプレート氷を５秒で製作でき、次工程での高速商品化に対応することができるようになる。
【００３３】
図１１および図１２は、第２の実施例の構成を示す。この例にあっては、一個の、すなわち単一の切断装置４１を使用し、単一の丸鋸４２を使用するものである。実施例１と同一の構成には同一の番号を付し、説明が重複しないようにする。第１の実施例の説明が援用される。
【００３４】
第２の実施例にあっては丸鋸４２の刃形４３の最下端がベース１４にまで到達して、ブロック氷１０を切断するようにしている。４４は駆動軸である。４５はブロック氷ガイドである。丸鋸４２の回転方向は矢印で示すように上から下方向となる。
この例にあっても第１の実施例と同様の効果を期待できるが、丸鋸４２が大型化する難点があるが、丸鋸１個で済むという利点がある。
【００３５】
【発明の効果】
本発明によれば、切断に当って移動台車あるいは丸鋸の戻り操作がなく、厚板状の氷塊を一方向に搬送して所定の薄板状の複数片に、簡単に、多量にかつ迅速に操作することのできるプレート氷製作装置および製作方法を提供することができる。更に、白濁部原因する廃棄の量を少なくしたプレート氷製作装置および製作方法を提供することができる。
【図面の簡単な説明】
【図１】本発明の第１の実施例の構成図。
【図２】図１のＡ視図。
【図３】図１のＢ視図。
【図４】ベースの詳細を示す図。
【図５】図４のＣ−Ｃ断面図。
【図６】図４のＤ−Ｄ断面図。
【図７】ブロック氷の形状図。
【図８】図４の側面図。
【図９】ブロック氷、切断機、プレートガイドおよびプレート氷の位置関係を示す図。
【図１０】図９の一部詳細図。
【図１１】本発明の第２の実施例の構成図。
【図１２】図８の側面図。
【符号の説明】
２…エンドレス搬送体、３…上側氷切断機、４…下側氷切断機、５、６…丸鋸、７…位置出し装置、１０…ブロック氷、１１…チェーン駆動部、１２…チェーン従動部、１３…操作チェーン、１４…ベース、１５…押し体、１６…通過孔部、２５…プレートガイド、３０…プレート氷、１００…プレート氷製作装置。
【図１】
2005024165.tif 000003
【図２】
2005024165.tif 000004
【図３】
2005024165.tif 000005
【図４】
2005024165.tif 000006
【図５】
2005024165.tif 000007
【図６】
2005024165.tif 000008
【図７】
2005024165.tif 000009
【図８】
2005024165.tif 000010
【図９】
2005024165.tif 000011
【図１０】
2005024165.tif 000012
【図１１】
2005024165.tif 000013
【図１２】
2005024165.tif 000014